(57)【要約】【課題】  特別の取付け部品を必要とすることなく、他の機能の実装領域の確保と狭額縁化と装置の小型化とを図ることが可能なＬＣＤモジュール実装方法を提供する。【解決手段】  ＬＣＤモジュール１は主に、ＬＣＤ１ａ、ＬＥＤ領域１ｃを搭載するバックライトモジュール１ｂ、導光板、反射板等から構成されている。バックライトモジュール１ｂの側面にはＬＣＤモジュール１を、固定ネジにて筐体に取付けて固定するための固定領域１ｄ，１ｅが設けられている。ＬＣＤ１ａのＬＣＤ表示部はＬＣＤ１ａの外形よりも小さいので、ＬＣＤモジュール１はＬＣＤ表示部に影響を与えないように、バックライトモジュール１ｂの側面の固定領域１ｄ，１ｅを用いて筐体に固定される。バックライトモジュール１ｂに搭載されたＬＥＤ領域１ｃのＬＥＤはＬＣＤ１ａを光らせるために用いられる。【選択図】      図１                                                  
2005070569.tif 000002
【特許請求の範囲】
【請求項１】
ＬＣＤ（Ｌｉｑｕｉｄ  Ｃｒｙｓｔａｌ  Ｄｉｓｐｌａｙ）を光らせるためのＬＥＤ（Ｌｉｇｈｔ  Ｅｍｉｔｔｉｎｇ  Ｄｉｏｄｅ）を含むバックライトモジュールに前記ＬＣＤを収納して構成されるＬＣＤモジュールを表示部として使用する移動通信機であって、前記ＬＣＤモジュールを側面から筐体に固定するための固定領域を前記バックライトモジュールに有し、前記固定領域において前記ＬＣＤモジュールを前記筐体に固定部品で固定することを特徴とする移動通信機。
【請求項２】
前記固定部品は、少なくとも前記筐体から取外し可能なネジ及び前記筐体から取外し不可能なくさびのうちのいずれかを含むことを特徴とする請求項１記載の移動通信機。
【請求項３】
前記表示部を搭載する第１の筐体と、前記第１の筐体に回動自在に取付けられた第２の筐体とを少なくとも含むことを特徴とする請求項１または請求項２記載の移動通信機。
【請求項４】
ＬＣＤ（Ｌｉｑｕｉｄ  Ｃｒｙｓｔａｌ  Ｄｉｓｐｌａｙ）を光らせるためのＬＥＤ（Ｌｉｇｈｔ  Ｅｍｉｔｔｉｎｇ  Ｄｉｏｄｅ）を含むバックライトモジュールに前記ＬＣＤを収納して構成されるＬＣＤモジュールを表示部として使用する移動通信機のＬＣＤモジュール実装方法であって、前記ＬＣＤモジュールを側面から筐体に固定するための固定領域を前記バックライトモジュールに設け、前記固定領域において前記ＬＣＤモジュールを前記筐体に固定部品で固定することを特徴とするＬＣＤモジュール実装方法。
【請求項５】
前記固定部品は、少なくとも前記筐体から取外し可能なネジ及び前記筐体から取外し不可能なくさびのうちのいずれかを含むことを特徴とする請求項４記載のＬＣＤモジュール実装方法。
【請求項６】
前記移動通信機は、前記表示部を搭載する第１の筐体と、前記第１の筐体に回動自在に取付けられた第２の筐体とを少なくとも含むことを特徴とする請求項４または請求項５記載のＬＣＤモジュール実装方法。
【発明の詳細な説明】
【技術分野】
【０００１】
本発明は移動体通信機及びそれに用いるＬＣＤモジュール実装方法に関し、特に移動体通信機において表示部として用いられるＬＣＤ（Ｌｉｑｕｉｄ  Ｃｒｙｓｔａｌ  Ｄｉｓｐｌａｙ：液晶ディスプレイ）モジュールの実装方法に関する。
【背景技術】
【０００２】
従来、移動体通信機においては、図６に示すように、ＬＣＤモジュール１２を移動体通信機上部筐体１１ａと移動体通信機下部筐体１１ｂとの間に挟み込んだ形で実装している。そのため、ＬＣＤモジュール１２の実装方法としては、図７に示すように、ＬＣＤモジュール１２の平面上において固定ネジ１３ａ〜１３ｄにてＬＣＤモジュール１２を筐体１１に実装している。
【０００３】
また、ＬＣＤモジュールの実装方法としては、狭額縁化に対応させるために、コ字形状ブラケットをＬＣＤモジュールの左右の側面に配置し、これらコ字形状ブラケットの両端をＬＣＤモジュールの上下の側面に固定し、コ字形状ブラケットのＬＣＤモジュールの左右の側面に対応する面にてケースにネジ止めする方法が提案されている（例えば、特許文献１参照）。
【０００４】
【特許文献１】特開平１１−１８４３９２号公報
【発明の開示】
【発明が解決しようとする課題】
【０００５】
しかしながら、従来のＬＣＤモジュールの実装方法では、ＬＣＤモジュールがＬＣＤ、導光板、ＬＥＤ（Ｌｉｇｈｔ  Ｅｍｉｔｔｉｎｇ  Ｄｉｏｄｅ：発光ダイオード）を含んだバックライトモジュール及び本体基板等からなっているので、ＬＣＤの大画面化また移動体通信機の多機能化のために装置内に実装する部品が増加すると、移動体通信機においてＬＣＤモジュールの実装が厳しくなるという問題がある。
【０００６】
一方、上記の特許文献１に記載の方法を用いる場合には、コ字形状ブラケットを用いてＬＣＤモジュールをケースに固定しているため、コ字形状ブラケットを設置する空間が必要となり、上記の問題を充分に解決するものとはいえない。また、上記の特許文献１に記載の方法では、コ字形状ブラケットを設置する空間を必要とするので、その分狭額縁化にも制限が課せられることとなる。
【０００７】
そこで、本発明の目的は上記の問題点を解消し、特別の取付け部品を必要とすることなく、他の機能の実装領域の確保と狭額縁化と装置の小型化とを図ることができる移動体通信機及びそれに用いるＬＣＤモジュール実装方法を提供することにある。
【課題を解決するための手段】
【０００８】
本発明による移動体通信機は、ＬＣＤ（Ｌｉｑｕｉｄ  Ｃｒｙｓｔａｌ  Ｄｉｓｐｌａｙ）を光らせるためのＬＥＤ（Ｌｉｇｈｔ  Ｅｍｉｔｔｉｎｇ  Ｄｉｏｄｅ）を含むバックライトモジュールに前記ＬＣＤを収納して構成されるＬＣＤモジュールを表示部として使用する移動通信機であって、前記ＬＣＤモジュールを側面から筐体に固定するための固定領域を前記バックライトモジュールに備え、前記固定領域において前記ＬＣＤモジュールを前記筐体に固定部品で固定している。
【０００９】
本発明によるＬＣＤモジュール実装方法は、ＬＣＤ（Ｌｉｑｕｉｄ  Ｃｒｙｓｔａｌ  Ｄｉｓｐｌａｙ）を光らせるためのＬＥＤ（Ｌｉｇｈｔ  Ｅｍｉｔｔｉｎｇ  Ｄｉｏｄｅ）を含むバックライトモジュールに前記ＬＣＤを収納して構成されるＬＣＤモジュールを表示部として使用する移動通信機のＬＣＤモジュール実装方法であって、前記ＬＣＤモジュールを側面から筐体に固定するための固定領域を前記バックライトモジュールに設け、前記固定領域において前記ＬＣＤモジュールを前記筐体に固定部品で固定している。
【００１０】
すなわち、本発明の移動体通信機は、ＬＣＤ（Ｌｉｑｕｉｄ  Ｃｒｙｓｔａｌ  Ｄｉｓｐｌａｙ：液晶ディスプレイ）モジュールを構成しかつＬＣＤ、導光板、ＬＥＤ（Ｌｉｇｈｔ  Ｅｍｉｔｔｉｎｇ  Ｄｉｏｄｅ：発光ダイオード）を含んだバックライトモジュールに、ＬＣＤモジュールを側面から筐体に固定するための固定領域を設け、この固定領域にてＬＣＤモジュールを筐体に固定ネジで固定している。
【００１１】
これによって、本発明の移動体通信機では、従来あった固定ネジの内部実装領域やコ字形状ブラケット等の特別の取付け部品を設置する領域を削除することが可能になるので、特別の取付け部品を必要とすることなく、他の機能の実装領域の確保と狭額縁化と装置の小型化とを図ることが可能となり、機能の向上を図ることが可能になる。
【発明の効果】
【００１２】
本発明は、以下に述べるような構造とすることで、特別の取付け部品を必要とすることなく、他の機能の実装領域の確保と狭額縁化と装置の小型化とを図ることができるという効果が得られる。
【発明を実施するための最良の形態】
【００１３】
次に、本発明の実施例について図面を参照して説明する。図１は本発明の一実施例によるＬＣＤ（Ｌｉｑｕｉｄ  Ｃｒｙｓｔａｌ  Ｄｉｓｐｌａｙ：液晶ディスプレイ）モジュールの構成を示す斜視図である。図１において、ＬＣＤモジュール１は、例えば折り畳み型携帯電話機等の２つの筐体を回動自在に軸支してなる携帯電話機の表示部として用いられている。
【００１４】
このＬＣＤモジュール１は主に、ＬＣＤ１ａ、ＬＥＤ（Ｌｉｇｈｔ  Ｅｍｉｔｔｉｎｇ  Ｄｉｏｄｅ：発光ダイオード）領域１ｃが設けられたバックライトモジュール１ｂ、導光板（図示せず）、反射板（図示せず）等から構成されている。尚、ＬＣＤ１ａ、導光板、反射板等はバックライトモジュール１ｂ内に収納される。
【００１５】
バックライトモジュール１ｂの側面にはＬＣＤモジュール１を図示せぬ筐体に取付けて固定するための固定領域１ｄ，１ｅが設けられている。バックライトモジュール１ｂに搭載されたＬＥＤ領域１ｃのＬＥＤ（図示せず）はＬＣＤ１ａを光らせるために用いられる。
【００１６】
図２は図１のＬＣＤモジュール１の完成形を示す斜視図であり、図３は図１のＬＣＤモジュール１の筐体への取付け例を示す平面図であり、図４は図１のＬＣＤモジュール１の筐体への取付け例を示す斜視図である。
【００１７】
図２及び図３において、ＬＣＤモジュール１はバックライトモジュール１ｂの側面に設けた固定領域１ｄ，１ｅ，１ｇ，１ｈにて、固定ネジ３ａ，３ｂで筐体２に固定される。
【００１８】
この場合、ＬＣＤ表示部１ｆはＬＣＤ１ａの外形よりも小さいので、ＬＣＤモジュール１はＬＣＤ表示部１ｆに影響を与えないように、バックライトモジュール１ｂの側面の固定領域１ｄ，１ｅ，１ｇ，１ｈを用いて筐体２に固定される。
【００１９】
図４に示すように、本実施例ではＬＣＤモジュール１を、ＬＣＤモジュール１の側面を使用して側面から固定ネジ３ａ，３ｂで筐体２に固定している。この固定については、筐体２から取外し可能なネジでも、筐体２から取外し不可能なくさびでも問題はなく、ＬＣＤモジュール１の固定に取外し可能なネジ及び取外し不可能なくさびのうちの一方、または両方を用いることができる。
【００２０】
これによって、本実施例では、ＬＣＤモジュール１の表面に、図７に示すような従来の固定ネジ１３ａ〜１３ｄで固定する領域が不要になり、移動体通信機本体（図示せず）の小型化が可能にな。また、固定ネジ１３ａ〜１３ｄでの固定に用いる領域を、他の部品領域に使用することができるため、移動体通信機のサイズを変更することなく、機能の向上を図ることができる。
【００２１】
図５は図１のＬＣＤモジュール１の筐体への取付け状態を示す平面図である。図５においては、ＬＥＤ領域１ｃ及びＬＣＤ表示部１ｆと筐体２との位置関係を示しており、ＬＣＤ表示部１ｆと筐体２との間には筐体２の側面から表示に無関係な領域４が生じている。
【００２２】
この表示に無関係な領域４は主に、導光版の接着領域、ＬＣＤ１ａの液晶駆動部品の実装領域となっており、ＬＣＤ１ａの表示には無関係の領域である。この表示に無関係な領域４は側面からの固定ネジ３ａ，３ｂ等による固定を行う領域５ａ〜５ｄとして使用される。また、ＬＣＤモジュール１にはその他の回路基板も一体化して実装されることもある。
【００２３】
このように、本実施例では、バックライトモジュール１ｂの側面の固定領域１ｄ，１ｅ，１ｇ，１ｈにて、固定ネジ３ａ，３ｂでＬＣＤモジュール１を筐体２に固定しているので、従来のＬＣＤモジュール１の平面上にあった固定ネジ１３ａ〜１３ｄによる固定を行う領域が不要となり、その領域に他の機能を実装したり、装置を小型化したりすることができる。よって、本実施例では、特別の取付け部品を必要とすることなく、他の機能の実装領域の確保と狭額縁化と装置の小型化とを図ることができる。
【図面の簡単な説明】
【００２４】
【図１】本発明の一実施例によるＬＣＤモジュールの構成を示す斜視図である。
【図２】図１のＬＣＤモジュールの完成形を示す斜視図である。
【図３】図１のＬＣＤモジュールの筐体への取付け例を示す平面図である。
【図４】図１のＬＣＤモジュールの筐体への取付け例を示す斜視図である。
【図５】図１のＬＣＤモジュールの筐体への取付け状態を示す平面図である。
【図６】従来のＬＣＤモジュールの筐体への取付け例を示す斜視図である。
【図７】従来のＬＣＤモジュールの筐体への取付け例を示す平面図である。
【符号の説明】
【００２５】
１  ＬＣＤモジュール
１ａ  ＬＣＤ
１ｂ  バックライトモジュール
１ｃ  ＬＥＤ領域
１ｄ，１ｅ，１ｇ，１ｈ  固定領域
１ｆ  ＬＣＤ表示部
２  筐体
３ａ，３ｂ  固定ネジ
４  表示に無関係な領域
５ａ〜５ｄ  側面からの固定ネジ等による固定を行う領域
【図１】
2005070569.tif 000003
【図２】
2005070569.tif 000004
【図３】
2005070569.tif 000005
【図４】
2005070569.tif 000006
【図５】
2005070569.tif 000007
【図６】
2005070569.tif 000008
【図７】
2005070569.tif 000009